(57)【要約】【課題】本発明は、着脱時の現像剤のこぼれを抑制できる像保持体ユニットの提供を目的とする。【解決手段】画像形成装置に取り付け及び取り外し可能にされ、静電潜像を保持する像保持体と、トナーを含む現像剤を収容可能な収容部と、を含む本体部と、前記収容部に収容された前記現像剤を前記収容部から排出する排出口と、前記排出口を開閉可能に設けられた開閉部と、前記本体部において、前記像保持体を露出又は遮蔽する遮蔽部と、を備え、前記本体部が前記画像形成装置から取り外された状態で、前記開閉部が前記排出口を閉口し、かつ前記遮蔽部が前記像保持体及び前記開閉部を覆う。【選択図】図２
2018045176.tif 000002
【特許請求の範囲】
【請求項１】
画像形成装置に取り付け及び取り外し可能にされ、静電潜像を保持する像保持体と、トナーを含む現像剤を収容可能な収容部と、を含む本体部と、
前記収容部に収容された前記現像剤を前記収容部から排出する排出口と、
前記排出口を開閉可能に設けられた開閉部と、
前記本体部において、前記像保持体を露出又は遮蔽する遮蔽部と、を備え、
前記本体部が前記画像形成装置から取り外された状態で、前記開閉部が前記排出口を閉口し、かつ前記遮蔽部が前記像保持体及び前記開閉部を覆う像保持体ユニット。
【請求項２】
前記遮蔽部は、前記像保持体を遮蔽させる動作に伴い、前記開閉部を動作させて前記排出口を閉口させる請求項１に記載の像保持体ユニット。
【請求項３】
前記開閉部は、自軸周りに回転可能な円筒状の蓋部と、前記蓋部の円周面に設けられ、前記蓋部の回転に伴い、前記排出口を開口させる開口部とを備えた請求項１又は２に記載の像保持体ユニット。
【請求項４】
装置本体と、
請求項１〜３の何れか１項に記載の像保持体ユニットと、
前記排出口に接続される接続部と、
前記接続部に設けられ、前記像保持体ユニットが前記装置本体に取り付けられる場合に、前記開閉部を開口側に稼働させる稼働部と、
を備えた画像形成装置。
【請求項５】
記録媒体を前記像保持体側に送出する送出手段を備え、
前記遮蔽部は、前記像保持体を露出させている場合、前記送出手段により送出される記録媒体を前記像保持体側に案内する請求項４に記載の画像形成装置。
【発明の詳細な説明】
【技術分野】
【０００１】
本発明は、像保持体ユニット及び画像形成装置に関する。
【背景技術】
【０００２】
特許文献１には、トナー容器にスライド式の開閉部材と、軸回転式の可動部とが設けられた画像形成装置が開示されている。
【先行技術文献】
【特許文献】
【０００３】
【特許文献１】２０１５−２２５３０６号公報
【発明の概要】
【発明が解決しようとする課題】
【０００４】
本発明は、像保持体ユニットが画像形成装置から取り外された状態で遮蔽部が像保持体を遮蔽するだけの構成に比して、取り外された状態における現像剤のこぼれを抑制できる像保持体ユニットの提供を目的とする。
【課題を解決するための手段】
【０００５】
請求項１に記載の像保持体ユニットは、画像形成装置に取り付け及び取り外し可能にされ、静電潜像を保持する像保持体と、トナーを含む現像剤を収容可能な収容部と、を含む本体部と、前記収容部に収容された前記現像剤を前記収容部から排出する排出口と、前記排出口を開閉可能に設けられた開閉部と、前記本体部において、前記像保持体を露出又は遮蔽する遮蔽部と、を備え、前記本体部が前記画像形成装置から取り外された状態で、前記開閉部が前記排出口を閉口し、かつ前記遮蔽部が前記像保持体及び前記開閉部を覆う。
【０００６】
請求項２に記載の像保持体ユニットは、請求項１に記載の像保持体ユニットであって、前記遮蔽部は、前記像保持体を遮蔽させる動作に伴い、前記開閉部を動作させて前記排出口を閉口させる。
【０００７】
請求項３に記載の像保持体ユニットは、請求項１又は請求項２に記載の像保持体ユニットであって、前記開閉部は、自軸周りに回転可能な円筒状の蓋部と、前記蓋部の円周面に設けられ、前記蓋部の回転に伴い、前記排出口を開口させる開口部とを備えている。
【０００８】
請求項４に記載の画像形成装置は、装置本体と、請求項１〜３の何れか１項に記載の像保持体ユニットと、前記排出口に接続される接続部と、前記接続部に設けられ、前記像保持体ユニットが前記装置本体に取り付けられる場合に、前記開閉部を開口側に稼働させる稼働部と、を備えている。
【０００９】
請求項５に記載の画像形成装置は、請求項４に記載の画像形成装置であって、記録媒体を前記像保持体側に送出する送出手段を備え、前記遮蔽部は、前記像保持体を露出させている場合、前記送出手段により送出される記録媒体を前記像保持体側に案内する。
【発明の効果】
【００１０】
請求項１に記載の像保持体ユニットは、像保持体ユニットが画像形成装置から取り外された状態で遮蔽部が像保持体を遮蔽するだけの構成に比して、取り外された状態における現像剤のこぼれを抑制できる。
【００１１】
請求項２に記載の像保持体ユニットは、像保持体の遮蔽動作に伴い排出口を閉口させることができる。
【００１２】
請求項３に記載の像保持体ユニットは、開閉部を回転可能としない場合に比して、排出口の開閉のためのスペースを節約できる。
【００１３】
請求項４に記載の画像形成装置は、像保持体ユニットの取り付け動作に伴い排出口を開口させることができる。
【００１４】
請求項５に記載の画像形成装置は、搬送される記録媒体を像保持体に案内することできる。
【図面の簡単な説明】
【００１５】
【図１】本実施の形態の画像形成装置を説明する正面図である。
【図２】本実施の形態の画像形成ユニットを説明する正面図である。
【図３】本実施の形態のドラムシャッター及び回転シャッターを説明する斜視図である。
【図４】本実施の形態のドラムシャッターを説明する斜視図である。
【図５】本実施の形態の画像形成ユニットの第１取り外し行程を説明する正面図である。
【図６】本実施の形態の画像形成ユニットの第２取り外し行程を説明する正面図である。
【図７】本実施の形態の画像形成ユニットの遮蔽状態を説明する正面図である。
【図８】本実施の形態の画像形成ユニットの第１取り付け行程を説明する正面図である。
【図９】本実施の形態の画像形成ユニットの第２取り付け行程を説明する正面図である。
【発明を実施するための形態】
【００１６】
以下、本実施の形態における画像形成装置１０について説明する場合は、画像形成装置１０を基準とする方向を用いて説明する。すなわち、図１に示す画像形成装置１０の幅方向をＸ方向、高さ方向をＹ方向、奥行き方向をＺ方向とする。また、Ｘ方向、Ｙ方向、Ｚ方向のそれぞれ一方側と他方側を区別する必要がある場合は、図１に示す画像形成装置１０の右側を＋Ｘ側、左側を−Ｘ側、上側を＋Ｙ側、下側を−Ｙ側、前側を＋Ｚ側、後側を−Ｚ側と記載する。また、本実施の形態では、被転写体の一例として記録用紙Ｐを採用し、記録用紙Ｐの搬送方向上流側を単に「上流側」、搬送方向下流側を単に「下流側」という。
【００１７】
＜全体構成＞
まず、本実施の形態に係る画像形成装置１０の全体構成を図１から図３を参照して説明する。
図１に示すように、画像形成装置１０は、少なくとも、装置本体１１と、この装置本体１１内に取り付けられる画像形成ユニット２０と、を有している。
【００１８】
この装置本体１１内の下端（−Ｙ側の端部）付近には、記録用紙Ｐが収納された給紙部１２が配置されている。その給紙部１２の下流側には、記録用紙Ｐを送り出す送出ロール１４が配置されている。そして、送出ロール１４の下流側には、記録用紙Ｐを搬送する一対のロールで構成された搬送ロール１６と、搬送ロール１６で搬送された記録用紙Ｐの搬送タイミングを合わせる一対のロールで構成された位置合わせロール１８とが配置されている。これら前述したものを含んで本実施の形態における用紙搬送路１５が形成されている。ここで、「送出ロール１４」、「搬送ロール１６」及び「位置合わせロール１８」は、「送出手段」の一例である。
【００１９】
また、位置合わせロール１８の下流側には、像保持体の一例としての感光体３２を有する感光部３０と、トナーが収容されるとともに、感光体３２に作像される静電潜像に対してトナーで現像を行う現像部４０と、を備えた画像形成ユニット２０が配置されている。この画像形成ユニット２０は、画像形成装置１０に取り付け及び取り外し可能に装置本体１１内に配置されている。ここで、「画像形成ユニット２０」は、「像保持体ユニット」の一例である。
【００２０】
感光部３０は、少なくとも、筐体３１と、感光体３２と、帯電ロール３３と、清掃ロール３４と、感光体３２の表面に残留した残留トナー（以下「廃トナー」という）を掻き取り、感光体３２の表面を清掃する清掃部材３５と、廃トナーを搬送する搬送部材３６と、を備えている。
また、感光部３０の筐体３１には、図３に示すように、感光体３２の軸方向（Ｚ方向）に沿って露出口３１Ｂが形成されている。この露出口３１ＢのＸ方向の長さは、感光体３２の外径（Ｘ方向の長さ）よりやや短く形成されている。そのため、露出口３１Ｂからは感光体３２の一部が露出可能とされている。ここで、「筐体３１」は、「収容部」の一例である。「感光部３０」は、「本体部」の一例である。「廃トナー」は、「トナーを含む現像剤」の一例である。
【００２１】
装置本体１１内において、感光体３２の下方（−Ｙ側）には、感光体３２上のトナー像を記録用紙Ｐに静電的に転写する転写ロール５０が配置されている。
現像部４０の下方（−Ｙ側）の端部には、画像形成ユニット２０が装置本体１１内から取り外された場合に、露出口３１Ｂを閉じるドラムシャッター１００が配置されている。
【００２２】
画像形成ユニット２０よりも下流側には、記録用紙Ｐに転写されたトナー像を、その記録用紙Ｐに定着する定着ユニット６０が配置されている。
そして、定着ユニット６０よりも下流側には、一対のロールで構成された排出ロール７０が配置されている。
【００２３】
図２は、画像形成ユニット２０の構成を示す模式図であり、感光部３０は搬送部材３６における廃トナーの搬送先である出口付近（＋Ｚ側の端部付近）を覆うように（図３参照）、筐体３１に取り付けられた回転シャッター１１０を備えている。また、装置本体１１内には、回転シャッター１１０の一部を覆いつつ、筐体３１の後述する排出口３１Ａに接続された廃トナー誘導部９０が配置されている。この廃トナー誘導部９０には、その下方（−Ｙ側）に搬送部材３６により搬送された廃トナーを回収するための回収容器８０が接続される（図１参照）。また、装置本体１１内には、後述するガイド突起１０５Ｃを案内するためのガイド１３が形成されている。なお、図２は感光部３０及び現像部４０の構造を示すべく、前面（＋Ｚ側の面）を透過した図である。
【００２４】
図３は、画像形成ユニット２０が装置本体１１内に取り付けられた状態におけるドラムシャッター１００及び回転シャッター１１０を下方（−Ｙ側）から見た斜視図である。
ここで、図３に示すように、筐体３１のうち、回転シャッター１１０の後面（−Ｚ側の面）と接触し、感光体３２よりも＋Ｚ側に張り出した部分には、円筒状の接触面３１Ｆが形成されている。また、筐体３１において接触面３１Ｆよりも＋Ｚ側、具体的には、搬送部材３６における廃トナーの搬送方向の一端側（＋Ｚ側）の下方（−Ｙ側）に相当する部分には、筐体３１内に収容された廃トナーを筐体３１内から排出する排出口３１Ａが形成されている。図２に示すように、画像形成ユニット２０が装置本体１１内に取り付けられた状態においては、排出口３１Ａに廃トナー誘導部９０が接続されている。
【００２５】
＜要部構成＞
次に、本実施の形態に係る画像形成ユニット２０の要部構成について図２から図４を参照しながら説明する。
【００２６】
（ガイドレール３７、３８）
図２に示すように、現像部４０の下端（−Ｙ側の端部）をＸ方向に沿うようにしてガイドレール３８が形成されている。このガイドレール３８は、現像部４０の下端（−Ｙ側の端部）のＸ方向の中央から回転シャッター１１０側（＋Ｘ側）にかけて延びている。このガイドレール３８は、ドラムシャッター１００の移動に際し、後述するガイド突起１０５Ａの移動を案内するものである。
【００２７】
また、ガイドレール３８の右端（＋Ｘ側の端）から回転シャッター１１０側（＋Ｘ側）にかけては曲線状のガイドレール３７が形成されている。このガイドレール３７は、その左端（−Ｘ側の端）から筐体３１の下端（−Ｙ側の端）付近まで直線的に下がった後、弧を描きながら上がっていき、その右端（＋Ｘ側の端）が上方（＋Ｙ側）を向いている。このガイドレール３７は、ドラムシャッター１００の移動に際し、後述するガイド突起１０５Ｂの移動を案内するものである。
【００２８】
なお、画像形成ユニット２０において回転シャッター１１０とは反対側（−Ｚ側）にもガイドレールが配置されており、ドラムシャッター１００は、この回転シャッター１１０とは反対側（−Ｚ側）に配置されたガイドレールにも移動可能に支持されている（図示せず）。
【００２９】
（ドラムシャッター１００）
ドラムシャッター１００は、露出口３１Ｂを露出又は遮蔽するものである。
ここで、後述する板部１０２が露出口３１Ｂよりも現像部４０側（−Ｘ側）に位置することにより露出口３１Ｂにおいて感光体３２が露出している状態を「露出状態」とし、後述する板部１０２が露出口３１Ｂの下方（−Ｙ側）に位置することにより露出口３１Ｂにおいて感光体３２が遮蔽されている状態を「遮蔽状態」とする。本実施の形態におけるドラムシャッター１００は、「露出状態」と「遮蔽状態」とを切り替えることができる。ここで、「ドラムシャッター１００」は、「遮蔽部」の一例である。
【００３０】
また、ドラムシャッター１００には、ばね１２０の一端（−Ｘ側の端）が引っ掛けられるばね突起３９Ａが形成されている。具体的には、図４に示すように、後述する箱部１０４の側面（−Ｘ側の面）から−Ｘ側に向けて延びる延出部１０４Ａに、−Ｚ側に向けて突出するばね突起３９Ａが形成されている。なお、本実施の形態では、ばね１２０は引っ張りばねとされている。
【００３１】
また、図２に示すように、筐体３１のうち回転シャッター１１０の上方（＋Ｙ側）には、＋Ｚ側に向けて突出するばね突起３９Ｂが形成されている。このばね突起３９Ｂには、ばね１２０の他端（＋Ｘ側の端）が引っ掛けられている。すなわち、本実施の形態のばね１２０は、その一端（−Ｘ側の端）が筐体３１に対してＸ方向及びＹ方向に移動可能なドラムシャッター１００に引っ掛けられ、その他端（＋Ｘ側の端）が画像形成ユニット２０において定位置に固定された筐体３１に引っ掛けられている。
【００３２】
そして、本実施の形態におけるばね１２０は、露出状態へ向かうにつれて伸びていき、遮蔽状態へ向かうにつれて縮むこととされている。そのため、このばね１２０は、ドラムシャッター１００を筐体３１に対して＋Ｘ側に移動させる向きの張力を生じさせる。
また、ドラムシャッター１００は、図２に示すように、板状の板部１０２と、回転シャッター１１０を覆う箱部１０４とを備えている。
【００３３】
（板部１０２）
板部１０２は、画像形成ユニット２０の下面（−Ｙ側の面）においてＺ方向を長手、Ｘ方向を短手とする長方形状に形成された板部材である。この板部１０２は、図２及び図３に示すように、Ｚ方向から見て、下方（−Ｙ側）に凸となるように形成されている。
ここで、板部１０２の長手方向（Ｚ方向）の長さは、露出口３１ＢのＺ方向の長さ以上に形成されている。また、板部１０２の短手方向（Ｘ方向）の長さは、露出口３１ＢのＸ方向の長さ以上に形成されている。これにより、板部１０２は、遮蔽状態において露出口３１Ｂを覆うことができる。すなわち、板部１０２は、遮蔽状態において露出口３１Ｂを遮蔽する。
【００３４】
図４に示すように、板部１０２の短手方向（Ｘ方向）における−Ｘ側の端部からは、＋Ｚ側に向けて延出部１０３Ａが延びている。この延出部１０３Ａの先端（＋Ｚ側）には、＋Ｚ側に向けて突出するガイド突起１０５Ａが形成されている。
【００３５】
また、板部１０２の短手方向（Ｘ方向）における＋Ｘ側の端部からは、＋Ｚ側に向けて延出部１０３Ｂが延びている。この延出部１０３Ｂの先端側（＋Ｚ側）には、＋Ｘ側に向けて箱部１０４が設けられている。
また、本実施の形態では、位置合わせロール１８を通過した記録用紙Ｐは、板部１０２に案内されながら下流側へ搬送されていく。すなわち、板部１０２自体が用紙搬送路１５の一部を構成している。
【００３６】
（箱部１０４）
箱部１０４は、遮蔽状態において回転シャッター１１０を覆うものである。この箱部１０４は、図４に示すように、上方（＋Ｙ側）が開口した容器とされている。そして、ドラムシャッター１００を平面視で観察すると、箱部１０４はドラムシャッター１００において、板部１０２よりも＋Ｚ側かつ回転シャッター１１０側（＋Ｘ側）に配置されている。また、箱部１０４はドラムシャッター１００において、筐体３１に対して回転シャッター１１０側（＋Ｘ側）に移動した際に、回転シャッター１１０に対応する位置に設けられている。
【００３７】
このとき、箱部１０４は、遮蔽状態において、その前面（＋Ｚ側の面）の上部（＋Ｙ側の部分）が筐体３１において回転シャッター１１０よりも＋Ｚ側に形成されたＸ方向に延びる収容溝３１Ｄに収容される（図３参照）。また、箱部１０４は、遮蔽状態において、その側面（＋Ｘ側の面）の上部（＋Ｙ側の部分）が筐体３１において回転シャッター１１０よりも＋Ｘ側に形成されたＺ方向に延びる収容溝３１Ｅに収容される（図３参照）。なお、箱部１０４の側面（−Ｘ側の面）は、遮蔽状態において、回転シャッター１１０よりも現像部４０側（−Ｘ側）に位置し、その上面（＋Ｙ側の面）が筐体３１と接触している（図示せず）。また、箱部１０４の後面（−Ｚ側の面）は、その左端（−Ｘ側の端）からその右端（＋Ｘ側の端）にかけて下方（−Ｙ側）に湾曲した曲面となっている。具体的には、箱部１０４の後面（−Ｚ側の面）は、遮蔽状態において接触面３１Ｆの円周面に沿った曲面形状で形成されている。これにより、遮蔽状態において、箱部１０４は回転シャッター１１０を覆うことができ、排出口３１Ａから排出された廃トナーを受け止めることができる。なお、排出口３１Ａから排出された廃トナーを受け止められれば、箱部１０４の形状は上記のものに限られない。たとえば、箱部１０４は、半球状の凹みであっても、円筒状の凹みであってもよい。
【００３８】
箱部１０４の前面（＋Ｚ側の面）には、＋Ｚ側に向けて突出するガイド突起１０５Ｂ、１０５Ｃが形成されている。このガイド突起１０５Ｃは、ガイド１３に案内されることで遮蔽状態と露出状態とを切り替えるものである。
【００３９】
また、図４に示すように、箱部１０４の前面（＋Ｚ側の面）は、その上面（＋Ｙ側の面）の一部が切り取られており、その切り取られた後の面が閉口側稼働部１０６として形成されている。この閉口側稼働部１０６は、露出状態から遮蔽状態に切り替わることに伴って、後述する回転シャッター１１０の回転突起１１４を案内するカム面である。閉口側稼働部１０６は、その左端（−Ｘ側の端）から一旦、下方（−Ｙ側）へ凹んだ後、その右端（＋Ｘ側の端）にかけて上方（＋Ｙ側）へ向かう曲面に形成されている。
【００４０】
（回転シャッター１１０）
回転シャッター１１０は、排出口３１Ａを開閉可能に筐体３１に取り付けられたものである。ここで、「回転シャッター１１０」は、「開閉部」の一例である。
【００４１】
この回転シャッター１１０は、図３に示すように、自軸周りに回転可能な円筒状の筒部１１２と、筒部１１２の軸方向の一端面（＋Ｚ側の面）である前面１１２Ａに形成され、＋Ｚ側に向けて突出する回転突起１１４とを備えている。この回転突起１１４は、画像形成ユニット２０が装置本体１１内から取り外される場合に、閉口側稼働部１０６と接触する部分となっている。また、回転突起１１４は、画像形成ユニット２０が装置本体１１内に取り付けられる場合に、後述する廃トナー誘導部９０の開口側稼働部９３と接触する部分となっている。また、筒部１１２の円周面には、遮蔽状態から露出状態に切り替わる際に、筒部１１２の回転に伴い、排出口３１Ａを開口させる開口孔１１６が形成されている。なお、遮蔽状態においては、開口孔１１６と排出口３１Ａとの位置がずれ、排出口３１Ａが筒部１１２に閉口されている。ここで、「筒部１１２」は、「蓋部」の一例であり、「開口孔１１６」は、「開口部」の一例である。
【００４２】
なお、本実施の形態では、一例として、開口孔１１６の形状が排出口３１Ａの形状と同様となっているが、排出口３１Ａの少なくとも一部を開口可能な形状であれば、開口孔１１６の形状はこれに限られない。たとえば、開口孔１１６の形状は、円状でもよいし半円状でもよい。
【００４３】
（廃トナー誘導部９０）
廃トナー誘導部９０は、排出口３１Ａに接続されるものであって、装置本体１１内に配置された部材である。ここで、「廃トナー誘導部９０」は、「接続部」の一例である。
この廃トナー誘導部９０は、図２に示すように、排出口３１Ａへ接続され、排出口３１Ａから排出された廃トナーを導入する廃トナー導入部９２と、露出状態において廃トナー導入部９２から導入された廃トナーを回収容器８０に導出する廃トナー導出部９４とを備えている。この廃トナー導出部９４の下端（−Ｙ側の端部）は、回収容器８０に接続されている（図１参照）。
【００４４】
廃トナー導入部９２のうち、画像形成ユニット２０が装置本体１１内に取り付けられる場合に回転突起１１４と接触する部分には、Ｚ方向から見て、回転シャッター１１０を開口側である時計回りに稼働させる開口側稼働部９３が形成されている。この開口側稼働部９３は、回転突起１１４が接触するカム面であって、廃トナー導入部９２の−Ｘ側の面である。具体的には、開口側稼働部９３は、その上端（＋Ｙ側の端）から下方（−Ｙ側）に向かうにつれ、一旦、＋Ｘ側に向かった後、−Ｘ側に向かう曲面に形成されている。ここで、「開口側稼働部９３」は、「稼働部」の一例である。また「回転シャッター１１０を開口側に稼働」とは、「回転シャッター１１０を回転させて排出口３１Ａを開くこと」をいう。
【００４５】
なお、本実施の形態では、排出口３１Ａを開閉させるための構成を上記のように回転式の回転シャッター１１０としたが、これに限らず、排出口３１Ａを開閉させるための構成をスライド式のスライドシャッターとしてもよい。すなわち、画像形成ユニット２０が装置本体１１内から取り外される場合に、閉口側稼働部１０６によりスライドシャッターを閉口側に稼働させ、画像形成ユニット２０が装置本体１１内に取り付けられる場合に、開口側稼働部９３によりスライドシャッターを開口側に稼働させることとしてもよい。また、排出口３１Ａを開閉させるための構成をヒンジ式のシャッターとしてもよい。
【００４６】
（装置本体１１内から画像形成ユニット２０を取り外す際の流れ）
以下、図面を参照して、装置本体１１内から画像形成ユニット２０を取り外す際の流れについて説明する。以下では、画像形成ユニット２０が装置本体１１内に取り付けられ、開口孔１１６が排出口３１Ａを開口させている露出状態から、画像形成ユニット２０の取り外し行程が行われるものとする。
【００４７】
装置本体１１内から画像形成ユニット２０を取り外す場合、ユーザは、図示しない画像形成装置１０のカバーを開けた後、装置本体１１内に配置された画像形成ユニット２０を上方（＋Ｙ側）かつ現像部３０側（−Ｘ側）に引き出す。
図５は、ユーザが画像形成ユニット２０を上方（＋Ｙ側）かつ現像部３０側（−Ｘ側）に引き出したことにより、排出口３１Ａと廃トナー導入部９２との接続が解除された第１取り外し行程を示した模式図である。
【００４８】
図５に示すように、ガイド１３は、ユーザが画像形成ユニット２０を上方（＋Ｙ側）かつ現像部３０側（−Ｘ側）に引き出したことに伴って、ばね１２０の張力により、ガイド突起１０５Ｃを回転シャッター１１０側（＋Ｘ側）に案内する。
【００４９】
また、ばね１２０の張力により、ガイド突起１０５Ａはガイドレール３８に案内されて、露出状態から筐体３１に対して回転シャッター１１０側（＋Ｘ側）に移動する。さらに、ばね１２０の張力により、ガイド突起１０５Ｂはガイドレール３７に案内されて、露出状態から筐体３１に対して回転シャッター１１０側（＋Ｘ側）かつ下方（−Ｙ側）に移動する。そのため、第１取り外し行程における板部１０２は、露出状態から筐体３１に対して回転シャッター１１０側（＋Ｘ側）に移動しているとともに、全体として筐体３１に対して下方（−Ｙ側）に傾く。また、第１取り外し行程における箱部１０４は、露出状態から筐体３１に対して回転シャッター１１０側（＋Ｘ側）かつ下方（−Ｙ側）に移動して筐体３１よりも下方（−Ｙ側）に位置する。
【００５０】
図６は、箱部１０４が第１取り外し行程から筐体３１に対して上方（＋Ｙ側）に移動された結果、閉口側稼働部１０６が回転突起１１４に接触した第２取り外し行程を示した模式図である。
【００５１】
図６に示すように、ユーザが画像形成ユニット２０を上方（＋Ｙ側）かつ現像部３０側（−Ｘ側）に引き出したことに伴って、ガイド突起１０５Ｃがガイド１３から外れている。
【００５２】
このとき、ガイド突起１０５Ａは、ばね１２０の張力によりガイドレール３８に案内されて、第１取り外し行程から筐体３１に対して回転シャッター１１０側（＋Ｘ側）に移動する。また、ガイド突起１０５Ｂは、ばね１２０の張力によりガイドレール３７に案内されて、第１取り外し行程から筐体３１に対して回転シャッター１１０側（＋Ｘ側）かつ上方（＋Ｙ側）に移動する。そのため、第２取り外し行程において板部１０２は、感光体３２の下方（−Ｙ側）に位置しており、箱部１０４の閉口側稼働部１０６が回転突起１１４と接触する。
【００５３】
閉口側稼働部１０６と回転突起１１４とが接触した状態で、箱部１０４が筐体３１に対して上方（＋Ｙ側）に移動すると、回転突起１１４が閉口側稼働部１０６の曲面に沿って上方（＋Ｙ側）に移動することで、Ｚ方向から見て回転突起１１４が露出状態から反時計回りに移動する。これに伴い、第２取り外し行程においては、回転シャッター１１０の反時計回りの回転により開口孔１１６と排出口３１Ａとの位置がずれ始めて、筒部１１２が排出口３１Ａを閉口し始める（図示せず）。
【００５４】
図７は、遮蔽状態を示した模式図である。
第２取り外し行程から遮蔽状態にかけては、ガイド突起１０５Ｃがガイド１３から外れているため、閉口側稼働部１０６と回転突起１１４とが接触した状態で、ばね１２０の張力により箱部１０４が筐体３１に対して上方（＋Ｙ側）に移動する。箱部１０４が第２取り外し行程から筐体３１に対して上方（＋Ｙ側）に移動すると、回転突起１１４が反時計回りに移動して、Ｚ方向から見て回転シャッター１１０が反時計回りに回転する。その結果、回転突起１１４は、筐体３１に形成された収容溝３１Ｃに収容される。また、回転シャッター１１０が第２取り外し行程からＺ方向から見て反時計回りに回転したことにより、開口孔１１６と排出口３１Ａとの位置がずれていく。その結果、開口孔１１６と排出口３１Ａとが対応しなくなり、遮蔽状態においては、筒部１１２によって排出口３１Ａが閉口される（図３及び図７参照）。また、遮蔽状態においては、箱部１０４の前面（＋Ｚ側の面）の上部（＋Ｙ側の部分）が収容溝３１Ｄに収容され、箱部１０４の側面（＋Ｘ側の面）の上部（＋Ｙ側の部分）が収容溝３１Ｅに収容される（図３参照）。
【００５５】
以上により、遮蔽状態においては、開口孔１１６と排出口３１Ａとの位置がずれ、排出口３１Ａが筒部１１２に閉口され、板部１０２が露出口３１Ｂを遮蔽し、箱部１０４が筒部１１２を下方（−Ｙ側）から覆っている。
【００５６】
本実施の形態では、閉口側稼働部１０６により回転シャッター１１０を閉口側に稼働させ、開口孔１１６と排出口３１Ａとの位置がずれることで排出口３１Ａを閉口させるとともに、箱部１０４が筒部１１２を覆っている。すなわち、本実施の形態では、回転シャッター１１０が閉口するタイミングと、ドラムシャッター１００が回転シャッター１１０を覆うタイミングとはほぼ同時であるといえる。
しかし、画像形成ユニット２０が装置本体１１内から取り外された場合に回転シャッター１１０がドラムシャッター１００に覆われていれば、回転シャッター１１０が閉口するタイミングと、ドラムシャッター１００が回転シャッター１１０を覆うタイミングとを異ならせてもよい。
【００５７】
（装置本体１１内に画像形成ユニット２０を取り付ける際の流れ）
以下、図面を参照して、装置本体１１内に画像形成ユニット２０を取り付ける際の流れについて説明する。以下では、画像形成ユニット２０が装置本体１１内から取り外され、開口孔１１６が排出口３１Ａを閉口させている遮蔽状態から、画像形成ユニット２０の取り付け行程が行われるものとする。
【００５８】
装置本体１１内に画像形成ユニット２０を取り付ける場合、ユーザは、図示しない画像形成装置１０のカバーを開けた後、画像形成ユニット２０を下方（−Ｙ側）に差し込む。このとき、画像形成ユニット２０を装置本体１１内に差し込むと、回転突起１１４と装置本体１１内に配置された廃トナー誘導部９０の開口側稼働部９３とが接触する。
【００５９】
図８は、ユーザが画像形成ユニット２０を装置本体１１内に差し込んだことにより、回転突起１１４と開口側稼働部９３とが接触した第１取り付け行程を示した模式図である。
【００６０】
このとき、第１取り付け行程においては、ガイド１３がばね１２０の張力に対抗してガイド突起１０５Ｃを現像部４０側（−Ｘ側）に案内することにより、取り外し行程とは逆の動きをする。すなわち、ガイド１３は、ガイド突起１０５Ｃを現像部４０側（−Ｘ側）に案内し、これに伴って、ガイド突起１０５Ａ、１０５Ｂもガイドレール３８、３７により現像部４０側（−Ｘ側）に案内される。そのため、第１取り付け行程における板部１０２は、遮蔽状態から現像部４０側（−Ｘ側）に移動して、露出口３１Ｂを露出している。第１取り付け行程における箱部１０４は、遮蔽状態と異なり回転シャッター１１０を覆っていない。
【００６１】
また、第１取り付け行程では、画像形成ユニット２０が装置本体１１内に下方（−Ｙ側）に差し込まれたことに伴い、回転突起１１４が開口側稼働部９３に接触する。そして、回転突起１１４と開口側稼働部９３とが接触した状態で、画像形成ユニット２０が装置本体１１に対して下方（−Ｙ側）に差し込まれていくと、回転突起１１４が開口側稼働部９３の曲面に沿って下方（−Ｙ側）に移動することで、Ｚ方向から見て回転突起１１４が遮蔽状態から時計回りに移動する。これに伴い、第１取り付け行程においては、回転シャッター１１０の時計回りの回転により開口孔１１６が排出口３１Ａに近付き始めて、開口孔１１６と排出口３１Ａとが重なり始める（図示せず）。
【００６２】
図９は、画像形成ユニット２０が第１取り付け行程から装置本体１１に対して下方（−Ｙ側）に差し込まれたことにより、回転突起１１４がさらに時計回りに移動して、回転シャッター１１０がさらに時計回りに回転した第２取り付け行程を示した模式図である。
第１取り付け行程から第２取り付け行程にかけては、画像形成ユニット２０が装置本体１１に対して下方（−Ｙ側）に差し込まれる。これにより、第２取り付け行程においては、回転突起１１４が開口側稼働部９３の曲面に沿って下方（−Ｙ側）に移動することで回転突起１１４が第１取り付け行程から、さらにＺ方向から見て時計回りに移動する。これに伴い、第２取り付け行程においては、回転シャッター１１０の回転により、開口孔１１６と排出口３１Ａとが重なる面積が第１取り付け行程よりも大きくなる（図示せず）。
【００６３】
そして、第２取り付け行程から、さらに画像形成ユニット２０が装置本体１１に対して下方（−Ｙ側）に差し込まれると、画像形成ユニット２０は、図２に示す露出状態となる。第２取り付け行程から露出状態にかけては、開口孔１１６が排出口３１Ａに重なっていった結果、開口孔１１６と排出口３１Ａとの開口同士が対応する（図２及び図３参照）。また、開口孔１１６と排出口３１Ａとが対応した際には排出口３１Ａに廃トナー導入部９２が接続される。
【００６４】
以上により、露出状態においては、板部１０２が露出口３１Ｂを露出しており、箱部１０４は、遮蔽状態と異なり回転シャッター１１０を覆っていない。
【００６５】
＜作用効果＞
本実施の形態は、以上のように構成されているため、以下の作用効果を奏する。
【００６６】
本実施の形態によれば、画像形成ユニット２０が装置本体１１内から取り外された状態において、搬送部材３６における廃トナーの搬送方向の一端側（＋Ｚ側）に位置する回転シャッター１１０をドラムシャッター１００の箱部１０４により覆うことができる。そのため、本実施の形態によれば、画像形成ユニット２０が装置本体１１内から取り外された状態でドラムシャッター１００が感光体３２を遮蔽するだけの構成に比して、取り外された状態における廃トナーのこぼれを抑制することができる。
【００６７】
また、本実施の形態によれば、板部１０２が露出口３１Ｂを遮蔽させる動作に伴い、箱部１０４が回転シャッター１１０の内周面を排出口３１Ａと対応させることで排出口３１Ａを閉口する。これにより、本実施の形態によれば、回転シャッター１１０を開閉させる構成を別途備える必要がない。そのため、本実施の形態によれば、回転シャッター１１０を開閉させる構成を別途備えた構成に比べて、画像形成ユニット２０の構成を簡易とした上で、画像形成ユニット２０を装置本体１１内から取り外した状態の廃トナーのこぼれを抑制することができる。
【００６８】
また、本実施の形態では、廃トナー誘導部９０により回転シャッター１１０が回転させられることで開口孔１１６が排出口３１Ａに近付き、排出口３１Ａが開口される。
【００６９】
一方、スライド式のシャッターを用いて排出口３１Ａの開閉を行う場合には、本実施の形態のような回転式のシャッターとしたときに比して、装置本体１１内における排出口３１Ａの開閉に必要なスペースを多く要する。具体的には、スライド式のシャッターを用いて排出口３１Ａを開口する場合、開口した際にスライド式のシャッターが位置するスペースを装置本体１１内に設ける必要がある。
【００７０】
そのため、本実施の形態によれば、スライド式のシャッターを用いて排出口３１Ａの開閉を行う構成に比して、装置本体１１内のスペースを要することがない上で、画像形成ユニット２０を装置本体１１内から取り外した状態の廃トナーのこぼれを抑制できる。
【００７１】
また、本実施の形態によれば、画像形成ユニット２０を装置本体１１内に取り付ける行程において、開口側稼働部９３により回転突起１１４を移動させることで排出口３１Ａを開口させることができる。
【００７２】
また、本実施の形態では、記録用紙Ｐは、図１に示すように、送出ロール１４により給紙部１２から送り出された後、送出ロール１４の下流側の搬送ロール１６と位置合わせロール１８とを通過して、画像形成ユニット２０が配置された下流側に搬送されていく。
【００７３】
そして、位置合わせロール１８を通過した記録用紙Ｐは、板部１０２に案内されながら下流側へ搬送されていく。すなわち、板部１０２自体が用紙搬送路１５の一部を構成している。
【００７４】
したがって、本実施の形態によれば、ドラムシャッター１００が記録用紙Ｐの感光体３２への搬送を案内する機能を備えない構成と異なり、ドラムシャッター１００により搬送される記録用紙Ｐを感光体３２に案内することができる。
【００７５】
また、本実施の形態では、ドラムシャッター１００の構成として板部１０２に加えて、箱部１０４を備えている。そのため、本実施の形態によれば、ドラムシャッター１００に、「感光体３２の露出部分を保護する機能」に加え、「回転シャッター１１０の閉口を行う機能」と「記録用紙Ｐを感光体３２に案内する機能」とを備えさせることができる。
【符号の説明】
【００７６】
１０  画像形成装置                        
１４  送出ロール（送出手段の一例）        １６  搬送ロール（送出手段の一例）
１８  位置合わせロール（送出手段の一例）
２０  画像形成ユニット（像保持体ユニットの一例）
３０  感光部        （本体部の一例）      ３１  筐体（収容部の一例）
３１Ａ  排出口                            ３２  感光体（像保持体の一例）
９０  廃トナー誘導部（接続部の一例）      ９３  開口側稼働部（稼働部の一例）
１００  ドラムシャッター（遮蔽部の一例）  
１１０  回転シャッター（開閉部の一例）    １１２  筒部（蓋部の一例）
１１６  開口孔（開口部の一例）
【図１】
2018045176.tif 000003
【図２】
2018045176.tif 000004
【図３】
2018045176.tif 000005
【図４】
2018045176.tif 000006
【図５】
2018045176.tif 000007
【図６】
2018045176.tif 000008
【図７】
2018045176.tif 000009
【図８】
2018045176.tif 000010
【図９】
2018045176.tif 000011